(57)【要約】【課題】操作性を向上させるとともに組立が容易な構造の遠心塗抹検体容器ホルダーを提供する。【解決手段】遠心塗抹検体容器ホルダー１は、検体容器とパッキンとスライドガラスとを重ねて収容する底面部２ａと、底面部２ａの両側に形成された側面部２ｂ，２ｃと、側面部２ｂ，２ｃに各々形成された係止部２ｅ，２ｆと、底面部２ａの奥側に形成された背面部２ｄと、背面部２ｄに形成されたカール部２ｇとを有するベース部２と、ベース部２の短手方向に沿って底面部２ａの手前側に配されるハンドル部３ａと、ハンドル部３ａの両側に形成されたアーム部３ｅ，３ｆと、カール部２ｇに回動可能に嵌め込まれた端部３ｂ，３ｃとを有する保持部３を備え、端部３ｂと端部３ｃとが互いに向かい合って配されている構成である。【選択図】図１
2019078691.tif 000002
【特許請求の範囲】
【請求項１】
検体容器とパッキンとスライドガラスとを重ねて収容する底面部と、前記底面部の両側に形成された側面部と、前記側面部に各々形成された係止部と、前記底面部の奥側に形成された背面部と、前記背面部に形成されたカール部とを有するベース部と、
前記ベース部の短手方向に沿って前記底面部の手前側に配されるハンドル部と、前記ハンドル部の両側に形成されたアーム部と、前記アーム部が各々延設されて前記カール部に回動可能に嵌め込まれた端部とを有する保持部とを備え、
前記アーム部は、前記ハンドル部の側が前記係止部に係止された状態のとき、所定部位が前記底面部に収容された前記検体容器に当接するように配設されており、
前記端部は互いに向かい合って配設されていること
を特徴とする遠心塗抹検体容器ホルダー。
【請求項２】
前記ハンドル部の長さは、前記係止部の互いの間隔よりも短いこと
を特徴とする請求項１記載の遠心塗抹検体容器ホルダー。
【請求項３】
前記カール部の長さは、前記係止部の互いの間隔よりも短いこと
を特徴とする請求項１または２記載の遠心塗抹検体容器ホルダー。
【請求項４】
前記端部は、互いの間隔を狭める方向に付勢されること
を特徴とする請求項１〜３のいずれか一項記載の遠心塗抹検体容器ホルダー。
【請求項５】
前記ベース部は板金からなり、
前記カール部は、前記背面部の手前側となるように湾曲していること
を特徴とする請求項１〜４のいずれか一項記載の遠心塗抹検体容器ホルダー。
【請求項６】
前記保持部は弾性金属ワイヤからなり、
前記アーム部は、前記ハンドル部の側に前記係止部の方向に曲がった肘部が各々形成されており、且つ、前記端部の側に前記底面部の方向に曲がった押え部が各々形成されていること
を特徴とする請求項１〜５のいずれか一項記載の遠心塗抹検体容器ホルダー。
【発明の詳細な説明】
【技術分野】
【０００１】
本発明は、遠心塗抹検体容器ホルダーに関する。
【背景技術】
【０００２】
細胞診は、検体採取時の患者への侵襲性が低く、良性・悪性の判定が短時間で診断できることから、がんの早期発見や検診等で幅広く活用されている。細胞診で用いられる液状検体には、尿や体腔液、穿刺吸引洗浄液などがあり、少ない細胞を変性なく効率的に集めることが重要となる。遠心塗抹装置は、遠心力を利用して短時間で効率的に集細胞・塗抹できることから、多くの病理検査室や研究所等で利用されている。
【０００３】
従来、遠心塗抹検体容器ホルダーを取付けて周方向に回転させ遠心力でスライドガラスに塗抹する遠心塗抹装置が知られている（特許文献１：特開平１１−０４４６２１号公報、特許文献２：特表２００６−５１３４１３号公報、非特許文献１：「Thermo Scientific Shandon Thin-layer Cell Preparation System」インターネット＜ＵＲＬ：http://www.med.osaka-cu.ac.jp/Central-lab/16F/kikisitu/cytospin catalog.pdf＞）。また従来、液状検体の入った容器とパッキンとスライドガラスとを、遠心塗抹検体容器ホルダーに取り付ける手順が知られている（非特許文献２：Thermo Scientific Shandon Cytoclip Slide Clip, TPX Sample Chambers and Filter Cards Instructions for Use」インターネット＜ＵＲＬ：http://tools.thermofisher.com/content/sfs/manuals/D21681~.pdf＞）。
【先行技術文献】
【特許文献】
【０００４】
【特許文献１】特開平１１−０４４６２１号公報
【特許文献２】特表２００６−５１３４１３号公報
【非特許文献】
【０００５】
【非特許文献１】「Thermo Scientific Shandon Thin-layer Cell Preparation System」インターネット＜ＵＲＬ：http://www.med.osaka-cu.ac.jp/Central-lab/16F/kikisitu/cytospin catalog.pdf＞
【非特許文献２】「Thermo Scientific Shandon Cytoclip Slide Clip, TPX Sample Chambers and Filter Cards Instructions for Use」インターネット＜ＵＲＬ：http://tools.thermofisher.com/content/sfs/manuals/D21681~.pdf＞
【発明の概要】
【発明が解決しようとする課題】
【０００６】
特許文献１、特許文献２、非特許文献１、および非特許文献２に例示されるような従来の遠心塗抹検体容器ホルダーは、両側面部の奥側が延設され貫通穴が形成されて受け部が各々形成されるとともに前記側面部の手前側が延設され同一方向に湾曲した係止部が各々形成されたベース部と、ハンドル部の両側が曲げられてアーム部が形成されるとともに該アーム部の両端が曲げられて端部が形成された保持部とを備え、前記端部が互いに背中合わせで外向きになって前記受け部に挿通されてツブシ加工されている。そして、液状検体の入った容器とパッキンとスライドガラスとを前記ベース部の底面部に配置し、前記ハンドル部を旋回させるように動かして前記保持部を前記係止部に係止させて容器とパッキンとスライドガラスとを保持する構成となっている。
【０００７】
従来技術では、前記端部が互いに背中合わせで外向きになっており、前記端部に外向きの付勢力が加わった状態で、オペレータが前記ハンドル部を旋回させるように動かしたときに、前記保持部に加わった外力によって前記端部に内向きの力が働くなどして捻じれが生じ易い。前記保持部を前記係止部に係止させて容器とパッキンとスライドガラスとを保持する際には、検体容器とパッキンとスライドガラスとに隙間ができて液状検体が外部に漏れないように、前記アーム部の所定部位が前記底面部に収容された前記検体容器に各々当接するようにしなければならない。しかし、従来技術では、前記保持部を前記係止部に係止させる際に前記保持部に捻じれが生じ易く、前記保持部が捻じれることで前記保持部を前記係止部に係止させ難くなり、また、前記保持部が捻じれることで前記アーム部の所定部位が前記底面部に収容された前記検体容器に当接する際の前記アーム部同士の当接の仕方が相違してバランスが崩れてしまう。そのため、検体容器とパッキンとスライドガラスとに隙間ができて液状検体が外部に漏れてしまうことがあった。それに加えて、前記端部を前記受け部に挿通した後、ツブシ加工を施しているため、遠心塗抹検体容器ホルダーを組み立てる際に専用の工具が必要となるため、組立工数が増えてしまい、製品コストが増大する。
【課題を解決するための手段】
【０００８】
本発明は、上記事情に鑑みてなされ、オペレータが前記保持部を前記係止部に係止させる際の前記保持部の捻じれを防止した構造とし、操作性を向上させるとともに組立が容易な構造の遠心塗抹検体容器ホルダーを提供することを目的とする。
【０００９】
一実施形態として、以下に開示するような解決手段により、前記課題を解決する。
【００１０】
本発明に係る遠心塗抹検体容器ホルダーは、検体容器とパッキンとスライドガラスとを重ねて収容する底面部と、前記底面部の両側に形成された側面部と、前記側面部に各々形成された係止部と、前記底面部の奥側に形成された背面部と、前記背面部に形成されたカール部とを有するベース部と、前記ベース部の短手方向に沿って前記底面部の手前側に配されるハンドル部と、前記ハンドル部の両側に形成されたアーム部と、前記アーム部が各々延設されて前記カール部に回動可能に嵌め込まれた端部とを有する保持部とを備え、前記アーム部は、前記ハンドル部の側が前記係止部に係止された状態のとき、所定部位が前記底面部に収容された前記検体容器に当接するように配設されており、前記端部は互いに向かい合って配設されていることを特徴とする。
【００１１】
この構成によれば、前記端部が互いに向かい合って内向きに配設されているので、前記アーム部の前記ハンドル部の側を前記係止部に係止させるためにオペレータが前記ハンドル部を旋回させるように動かしたときに前記端部に内向きの力が働いて前記カール部に対して内向きの付勢力が加わった状態となり、前記保持部の捻じれが防止できる。このため、前記保持部を前記係止部に係止させ易くなり、また、前記アーム部の所定部位が前記底面部に収容された前記検体容器に当接する際の前記アーム部同士の当接の仕方が同様となり、バランスが保たれる。よって、検体容器とパッキンとスライドガラスとの密着が良好な状態となり、液状検体の外部への漏れが防止できる。さらに、前記端部を前記カール部に各々嵌め込むだけの簡単な作業で組み立てできるので、専用の工具は不要となり、製品コストを抑えることができる。よって、操作性を向上させるとともに組立が容易な構造となる。
【００１２】
前記遠心塗抹検体容器ホルダーは、前記ハンドル部の長さは、前記係止部の互いの間隔よりも短いことが好ましい。この構成によれば、オペレータが操作する際に前記ハンドル部を押す位置の偏りが防止でき、前記アーム部の所定部位が前記底面部に収容された前記検体容器に当接する際の前記アーム部同士の当接の仕方が同様となり、バランスが保たれる。
【００１３】
前記カール部の長さは、前記係止部の互いの間隔よりも短いことが好ましい。この構成によれば、遠心塗抹検体容器ホルダーの装置への脱着時に前記カール部が装置に引っ掛かることがなく、操作性に優れる。
【００１４】
前記端部は、互いの間隔を狭める方向に付勢されることが好ましい。この構成によれば、オペレータが前記ハンドル部を旋回させるように動かして前記保持部を前記係止部に係止させ、前記検体容器および前記パッキンおよび前記スライドガラスを保持する一連の動作において、前記端部が前記カール部から外れてしまうことが防止できる。つまり、前記ハンドル部を旋回させるように動かしたときに、回動により変形量が大きくなる側の前記アームに延設された前記端部が前記カール部から外れ難い構造となる。
【００１５】
前記ベース部は板金からなり、前記カール部は、前記背面部の手前側となるように湾曲していることが好ましい。この構成によれば、前記アーム部の長さを短くして剛性を高めることが可能となり、且つ、前記ベース部の小型化が可能となる。
【００１６】
前記保持部は弾性金属ワイヤからなり、前記アーム部は、前記ハンドル部の側に前記係止部の方向に曲がった肘部が各々形成されており、且つ、前記端部の側に前記底面部の方向に曲がった押え部が各々形成されていることが好ましい。この構成によれば、前記押え部によって前記検体容器および前記パッキンおよび前記スライドガラスを前記底面部の側に押す付勢力が加わるので、前記検体容器および前記パッキンおよび前記スライドガラスを密着させて保持することが可能となる。尚且つ、前記肘部によって前記ハンドル部を前記ベース部からある程度離れた位置でオペレータが操作することができ、操作性に優れた遠心塗抹検体容器ホルダーとなる。
【発明の効果】
【００１７】
本発明によれば、前記端部が互いに向かい合って内向きに配設されているので、前記アーム部の前記ハンドル部の側を前記係止部に係止させるためにオペレータが前記ハンドル部を旋回させるように動かしたときに前記端部に内向きの力が働いて前記カール部に対して内向きの付勢力が加わった状態となり、前記保持部の捻じれが防止できる。さらに、前記端部を前記カール部に各々嵌め込むだけの簡単な作業で組み立てできるので、専用の工具は不要となり、製品コストを抑えることができる。よって、操作性を向上させるとともに組立が容易な構造の遠心塗抹検体容器ホルダーが実現する。
【図面の簡単な説明】
【００１８】
【図１】本発明の実施形態に係る遠心塗抹検体容器ホルダーの例を示す概略図であり、斜め上方からの斜視図である。
【図２】上記実施形態に係る遠心塗抹検体容器ホルダーの平面図である。
【図３】上記実施形態に係る遠心塗抹検体容器ホルダーの底面図である。
【図４】上記実施形態に係る遠心塗抹検体容器ホルダーの正面図である。
【図５】上記実施形態に係る遠心塗抹検体容器ホルダーの背面図である。
【図６】上記実施形態に係る遠心塗抹検体容器ホルダーの右側面図である。
【図７】上記実施形態に係る遠心塗抹検体容器ホルダーの左側面図である。
【図８】上記実施形態に係る遠心塗抹検体容器ホルダーを構成するベース部の平面図である。
【図９】上記実施形態に係る遠心塗抹検体容器ホルダーを構成する保持部の平面図である。
【図１０】上記実施形態に係る遠心塗抹検体容器ホルダーにおいて、検体容器およびパッキンおよびスライドガラスを配置した状態を示す概略図であり、斜め上方からの斜視図である。
【図１１】上記実施形態に係る遠心塗抹検体容器ホルダーにおいて、検体容器およびパッキンおよびスライドガラスを保持した状態を示す概略図であり、斜め上方からの斜視図である。
【図１２】上記実施形態に係る遠心塗抹検体容器ホルダーが搭載される遠心塗抹装置の例を示す概略図であり、斜め上方からの斜視図である。
【図１３】図１２における内部構造を省略したII−II線断面図である。
【発明を実施するための形態】
【００１９】
以下、図面を参照して、本発明の実施形態について詳しく説明する。本実施形態は、一例として、遠心塗抹装置に付設される遠心塗抹検体容器ホルダー１である。図１は、遠心塗抹検体容器ホルダー１を斜め上方から見た斜視図である。図２は遠心塗抹検体容器ホルダー１の平面図であり、図３は底面図であり、図４は正面図であり、図５は背面図であり、図６は右側面図であり、図７は左側面図である。遠心塗抹検体容器ホルダー１は、ベース部２と、保持部３とが組み合わさって構成される。図８は、ベース部２の平面図である。図９は、保持部３の平面図である。なお、実施形態を説明するための全図において、同一の機能を有する部材には同一の符号を付し、その繰り返しの説明は省略する場合がある。
【００２０】
図１２は、遠心塗抹検体容器ホルダー１が搭載される遠心塗抹装置３０の例を示す概略図であり、斜め上方からの斜視図である。遠心塗抹装置３０は、一例として、本体部３１の上側に蓋部３２が配設されており、本体部３１の前面側が操作パネルとなっている。遠心塗抹装置３０は、遠心力を利用して短時間で効率的に集細胞・塗抹できることから、多くの病理検査室や研究所等で利用されている。
【００２１】
図１３は、図１２における内部構造の一部を省略したII−II線断面図である。遠心塗抹装置３０の本体部３１は、回転駆動手段としてのモータ３３と、密閉回転容器４０とを備えており、モータ３３が回転することによって、密閉回転容器４０が回転する。密閉回転容器４０は、遠心塗抹検体容器ホルダー１を複数個収納可能な収納部４１と、収納部４１の上面開口部を閉塞して密閉する蓋４２とを備える。遠心塗抹検体容器ホルダー１は、検体容器５１およびパッキン５２およびスライドガラス５３を保持した状態で、ハンドル部３ａが上向きとなる位置で、検体容器５１の側がモータ３３の回転軸に近い側となり、スライドガラス５３の側がモータ３３の回転軸から遠い側となるようにして、収納部４１にセットする。
【００２２】
ここで、遠心塗抹検体容器ホルダー１の各部の位置関係を説明し易くするため、図中にＸ，Ｙ，Ｚの矢印で向きを示している。図１３に示す例では、遠心塗抹検体容器ホルダー１を遠心塗抹装置３０セットする際は、ハンドル部３ａを上向きとする。なお、遠心力によって塗抹が可能な配置構成であれば、この例に限定されない。
【００２３】
検体容器５１は、細胞診等で用いられる液状検体を収容するための漏斗状の収容部が形成され、この収容部の底部の側面には外方に向けた所定の通路が形成されている。遠心塗抹検体容器ホルダー１を遠心塗抹装置３０にセットし回転させて遠心力を加えると、液体検体が前記所定の通路を通って外方に移動する。前記所定の通路の外方には開口部が形成されており、開口部の外方にはスライドガラス５３が配置される。前記開口部とスライドガラス５３との間には、前記開口部とスライドガラス５３との間を密閉するためにパッキン５２が配置される。パッキン５２として開口が設けられた濾紙を配置した場合には、細胞がスライドガラス５３に塗抹されるとともに液状成分が濾紙に滲み込むため、液状検体中の限られた浮遊細胞を効率よく集細胞塗抹できる。濾紙は、細胞質が伸展できるので、細胞の同定に有利であり、剥離しにくい。また、乾燥固定に用いられる。パッキン５２として開口が設けられたゴム板を配置した場合には、細胞がスライドガラス５３に塗抹され、液状成分がゴム板から外に飛散し難く、洗浄によって繰り返し使用できる。ゴム板は、浮遊細胞数の少ない検体などに用いられる。検体容器５１の容量の種別としては、例えば、1[mL]、６[mL]、１２[mL]がある。液状検体の種類や量に応じて、パッキン５２として濾紙とゴム板とを適宜使い分けする。検体容器５１とパッキン５２とスライドガラス５３とは、既知のものが適用できる。
【００２４】
遠心塗抹検体容器ホルダー１は、図８に示すベース部２と、図９に示す保持部３とが組み合わさって構成される。
【００２５】
ベース部２は、板金、鋳造、切削、レーザ加工、エッチング加工、型成形加工、その他既知の加工方法によって製造可能である。ベース部２が板金であることで、製造が容易となり、剛性を高めつつ軽量化を図ることが可能となる。ベース部２の材質としては、例えば、鉄、ステンレス、アルミニウム、ニッケル合金、チタン合金等の硬質金属や、ポリイミド（ＰＩ）、ポリエーテルエーテルケトン（ＰＥＥＫ）、ポリアミドイミド（ＰＡＩ）、ポリベンゾイミダゾール（ＰＢＩ）、ポリフェニリンサルファイド（ＰＰＳ）、ポリテトラフルオロエチレン（ＰＦＡ）、液晶ポリマー等の耐薬品性樹脂、セラミックス、その他既知の構造材料が適用可能である。
【００２６】
本実施形態は、ベース部２は、ステンレス等の板金がプレス加工や曲げ加工されて形成され、検体容器５１およびパッキン５２およびスライドガラス５３を配置する底面部２ａと、平面視で、底面部２ａの左側に形成された側面部２ｂ、および底面部２ａの右側に形成された側面部２ｃと、側面部２ｂに形成された係止部２ｅ、および側面部２ｃに形成された係止部２ｆと、底面部２ａの奥側に形成された背面部２ｄと、背面部２ｄに形成されたカール部２ｇとを有する。底面部２ａの左右には貫通穴２ｓが所定間隔で形成される。貫通穴２ｓにより、遠心力によって細胞がスライドガラス５３に塗抹され、遠心力によって濾紙から滲み出た水分は、速やかに底面部２ａに形成された溝２ｕを経由して貫通穴２ｓから飛散する。また、貫通穴２ｓにより、洗浄時の液切れや乾燥が促進される。底面部２ａの手前側の中央には円弧状の切り欠き２ｒが形成される。切り欠き２ｒによって、指先が底面部２ａに引っ掛からずにスライドガラス５３を配置したり取り出したりすることが容易にできる。
【００２７】
保持部３は、ばね特性を有しており、弾性金属ワイヤの曲げ加工、板金、鋳造、切削、レーザ加工、エッチング加工、その他既知の加工方法によって製造可能である。保持部３が弾性金属ワイヤの曲げ加工であることで、製造が容易な構造となり、ばね特性を有しつつ、剛性を高めるとともに軽量化を図ることが可能となる。前記保持部の材質としては、例えば、鉄、ステンレス、ニッケル合金、チタン合金等の高弾性金属、樹脂成型品、セラミックス、その他既知のばね材料が適用可能である。
【００２８】
保持部３は、ステンレス等の弾性金属ワイヤが曲げ加工されて形成され、ハンドル部３ａと、平面視で、ハンドル部３ａの左側に形成されたアーム部３ｅ、およびハンドル部３ａの右側に形成されたアーム部３ｆとを有する。アーム部３ｅは延設されて端の部分が略直角に曲げられて端部３ｂが形成されており、また、アーム部３ｆは延設されて端の部分が略直角に曲げられて端部３ｃが形成されている。
【００２９】
そして、アーム部３ｅは、ハンドル部３ａの側に、係止部２ｅの方向に鈍角に曲がった肘部３ｉが形成されており、また、アーム部３ｆは、ハンドル部３ａの側に、係止部２ｆの方向に鈍角に曲がった肘部３ｊが形成されている。且つ、アーム部３ｅは、端部３ｂの側に、底面部２ａの方向に鈍角に曲がった押え部３ｇが形成されており、また、アーム部３ｆは、端部３ｃの側に、底面部２ａの方向に鈍角に曲がった押え部３ｈが形成されている。
【００３０】
ここで、アーム部３ｅとアーム部３ｆ、肘部３ｉと肘部３ｊ、押え部３ｇと押え部３ｈ、端部３ｂと端部３ｃとは、線対称配置となっている。前記ワイヤの線径は、例えば、１．０[mm]以上で２．０[mm]以下に設定される。前記ワイヤの線径が大きくなるほど剛性が大きくなり、前記ワイヤの線径が小さくなるほど弾性が大きくなる。前記ワイヤの線径は、検体容器５１およびパッキン５２およびスライドガラス５３の材質やサイズ等に応じて、適宜設定する。押え部３ｇおよび押え部３ｈは、単なる曲げ形状に限定されず、１〜２周巻形状でもよい。
【００３１】
図１〜図７に示すように、遠心塗抹検体容器ホルダー１は、端部３ｂおよび端部３ｃがカール部２ｇに回動可能に各々嵌め込まれており、ハンドル部３ａがベース部２に対して回動可能に配される。
【００３２】
そして、検体容器５１およびパッキン５２およびスライドガラス５３を保持する際には、図１０と図１１に示すように、検体容器５１とパッキン５２とスライドガラス５３を底面部２ａに重ねて配置する。次に、ハンドル部３ａを旋回させるように矢印ｃ１の方向に動かして肘部３ｉを係止部２ｅに係止させるとともに、肘部３ｊを係止部２ｆに係止させる。そして、押え部３ｇおよび押え部３ｈが、検体容器５１を底面部２ａの側に当接して押すことで、検体容器５１とパッキン５２とスライドガラス５３とを互いに密着させて保持する。
【００３３】
本実施形態は、保持部３において、端部３ｂと端部３ｃとが互いに向かい合って配される。この構成によれば、端部３ｂの端面と端部３ｃの端面とが互いに向かい合って内向きになっているので、カール部２ｇに対して内向きの付勢力が加わった状態となる。ここで、肘部３ｉを係止部２ｅに係止させるとともに、肘部３ｊを係止部２ｆに係止させるために、オペレータがハンドル部３ａを旋回させるように矢印ｃ１の方向に動かしたときに保持部３の捻じれが防止され、且つ、肘部３ｉを係止部２ｅに係止させるとともに、肘部３ｊを係止部２ｆに係止させたときに保持部３のよじれが防止される。そして、アーム部３ｅは、肘部３ｉが係止部２ｅに係止されるとともに、肘部３ｊが係止部２ｆに係止された状態のとき、押え部３ｇおよび押え部３ｈが、検体容器５１を底面部２ａの側に当接して押すので、この一連の作業において、検体容器５１とパッキン５２とスライドガラス５３とが密着する。よって、液状検体の漏れを防止して信頼性を高めた構造となる。
【００３４】
さらに、この構成によれば、端部３ｂおよび端部３ｃをカール部２ｇに各々嵌め込むだけの簡単な作業で組み立てできるので、専用の工具は不要となり、病理検査室や研究所等での組立が容易な構成となる。例えば、ベース部２と保持部３とを個別に購入することも可能となり、メンテナンスコストを抑えることができる。
【００３５】
本実施形態は、保持部３とベース部２とが分離した状態のとき、カール部２ｇの長さＬ６よりも、端部３ｂと端部３ｃとの間隔Ｌ４が短くなるように形成されており（図９参照）、端部３ｂと端部３ｃとがカール部２ｇに回動可能に各々嵌め込まれた状態のとき、間隔Ｌ４を狭める方向に保持部３が付勢する構成である。この構成によれば、ハンドル部３ａを旋回させるように矢印ｃ１の方向に動かしてアーム部３ｅを係止部２ｅに係止させるとともに、アーム部３ｆを係止部２ｆに係止させて、検体容器５１およびパッキン５２およびスライドガラス５３を密着保持する一連の動作において、端部３ｂと端部３ｃとがカール部２ｇに各々嵌め込まれた状態が維持される。つまり、端部３ｂと端部３ｃとがカール部２ｇから外れることを防止できる。
【００３６】
本実施形態は、ハンドル部３ａの長さＬ１は、係止部２ｅと係止部２ｆとの内側の間隔Ｌ５よりも短くなるように形成されている（図４参照）。この構成によれば、オペレータが操作する際にハンドル部３ａを押す位置の偏りが防止できる。
【００３７】
そして、カール部２ｇの長さＬ６は、係止部２ｅと係止部２ｆとの内側の間隔Ｌ５よりも短くなるように形成されている。この構成によれば、保持部３の各アーム部３ｅ，３ｆを各係止部２ｅ，２ｆにそれぞれ係止させた状態において、検体容器５１およびパッキン５２およびスライドガラス５３を保持する際に、底面部２ａ側に押す付勢力が加わるので、検体容器５１およびパッキン５２およびスライドガラス５３の互いの密着性を高めて保持することができる。
【００３８】
係止部２ｅと係止部２ｆとは、同一方向に湾曲しているとともに、いずれも底面部２ａの外側の位置に形成されている。この構成によれば、検体容器５１およびパッキン５２およびスライドガラス５３を底面部２ａに配置する際に、係止部２ｅと係止部２ｆとに当接することを防止できる。尚且つ、ハンドル部３ａを旋回させるように矢印ｃ１の方向に動かして、保持部３の各アーム部３ｅ，３ｆを各係止部２ｅ，２ｆに係止させることが容易な構造となる。
【００３９】
カール部２ｇは、背面部２ｄの手前側（切り欠き２ｒの側）の位置となるように湾曲している。この構成によれば、アーム部３ｅ，３ｆの長さをそれぞれ短くして剛性を高めることが可能となり、且つ、ベース部２の小型化が可能となる。
【００４０】
本実施形態では、アーム部３ｅ，３ｆが係止部２ｅ，２ｆに係止された位置において、底面部２ａの方向に鈍角に曲がった押え部３ｇ、３ｈがアーム部３ｅ，３ｆに各々形成されている。この構成によれば、押え部３ｇ、３ｈによって検体容器５１およびパッキン５２およびスライドガラス５３を底面部２ａ側に押す付勢力が加わるので、検体容器５１およびパッキン５２およびスライドガラス５３を互いに密着させて保持することができる。そして、アーム部３ｅ，３ｆは、ハンドル部３ａの側に、係止部２ｅの方向に曲がった肘部３ｉと、係止部２ｆの方向に曲がった肘部３ｊとが各々形成されている。この構成によれば、オペレータがハンドル部３ａをベース部２からある程度離れた位置で操作することができ、操作性に優れた遠心塗抹検体容器ホルダー１となる。
【００４１】
本発明は、以上説明した実施例に限定されることなく、本発明を逸脱しない範囲において種々変更が可能である。例えば、上述の実施形態では、ベース部２は、板金がプレス加工や曲げ加工されて形成される構成を例示したが、これに限定されず、鋳造、切削、レーザ加工、エッチング加工、その他既知の加工方法によって製造可能である。また、上述の実施形態では、保持部３は、弾性金属ワイヤが曲げ加工されて形成される構成を例示したが、これに限定されず、ばね特性を有していれば、樹脂型成形、板金、鋳造、切削、レーザ加工、エッチング加工、その他既知の加工方法によって製造可能である。
【符号の説明】
【００４２】
１  遠心塗抹検体容器ホルダー
２  ベース部
２ａ  底面部
２ｂ、２ｃ  側面部
２ｄ  背面部
２ｅ、２ｆ  係止部
２ｇ  カール部
３  保持部
３ａ  ハンドル部
３ｂ、３ｃ  端部
３ｅ、３ｆ  アーム部
３ｇ、３ｈ  押え部
３ｉ、３ｊ  肘部
３０  遠心塗抹装置
５１  検体容器
５２  パッキン
５３  スライドガラス
【図１】
2019078691.tif 000003
【図２】
2019078691.tif 000004
【図３】
2019078691.tif 000005
【図４】
2019078691.tif 000006
【図５】
2019078691.tif 000007
【図６】
2019078691.tif 000008
【図７】
2019078691.tif 000009
【図８】
2019078691.tif 000010
【図９】
2019078691.tif 000011
【図１０】
2019078691.tif 000012
【図１１】
2019078691.tif 000013
【図１２】
2019078691.tif 000014
【図１３】
2019078691.tif 000015